(57)【要約】【課題】人形のサイズに見合う任意の大きさの模様が、人間用の衣服と遜色ない質感と自然さで表現され、かつ、生地の無駄が少なく、適切なコストで製造できる人形用衣装、及び、そのような人形用衣装の製造方法を提供すること。【解決手段】地組織の上に模様が織り出され、周縁部が溶断された織地のパーツを少なくとも一部に含んでなる、人形用衣装である。前記地組織は、平織、綾織、朱子織、又はそれらの組み合わせ組織からなる地組織であり、前記模様が、前記地組織と異なる色及び／又は太さを有する緯糸の挿入によって前記地組織上に織り出された連続模様又はポイント模様であることが好ましい。【選択図】図１
2019126443.tif 000002
【特許請求の範囲】
【請求項１】
地組織の上に模様が織り出され、周縁部が溶断された織地のパーツを少なくとも一部に含んでなる、人形用衣装。
【請求項２】
前記地組織が、平織、綾織、朱子織、又はそれらの組み合わせ組織からなる地組織であり、前記模様が、前記地組織と異なる色及び／又は太さを有する緯糸の挿入によって前記地組織上に織り出された連続模様又はポイント模様である、請求項１に記載の人形用衣装。
【請求項３】
地組織の上に模様が織り出され、周縁部が溶断された織地のパーツを複数含み、前記複数のパーツが互いに接合されてなる人形用衣装であって、前記パーツの各々には、衣装として仕立てられた状態で適切な配置となるように、地組織の上に模様が織り出されている、請求項１又は２に記載の人形用衣装。
【請求項４】
ドール用ドレス、ワンピース、スカート又は上衣である、請求項１〜３のいずれか１項に記載の人形用衣装。
【請求項５】
高速織機を用いて、地組織上に織り出された模様を有する布地を織り出す工程、
前記布地をレーザー加工機に通し、予め記憶された輪郭データに従って、前記布地をレーザーカットにより溶断して衣装パーツを得る工程、及び、
複数の衣装パーツを接合して衣装を仕立てる工程、
を含む、
請求項１〜４のいずれか１項に記載の人形用衣装の製造方法。
【請求項６】
前記高速織機が、ジャカード機が組み合わされた、レピア織機、エアージェット織機又はプロジェクタイル織機である、請求項５に記載の人形用衣装の製造方法。
【請求項７】
前記接合が、縫合及び／又は接着である、請求項５又は６に記載の人形用衣装の製造方法。
【発明の詳細な説明】
【技術分野】
【０００１】
本発明は、ドールやフィギュア等と称される人形用の衣装、及び、その製造方法に関する。
【背景技術】
【０００２】
ドールやフィギュア等と称される１０〜７０ｃｍ程度の大きさの人形に、様々な衣装を着せて楽しむ趣味の分野がある。このような人形用の衣装としては、人間用の衣類を模したもの、映画やアニメからインスパイアされたものなど、多岐にわたるデザインが展開されている。
【０００３】
従来、人形用衣装は、一般的に入手可能な生地を、人形のサイズに合わせた型紙に従って裁断し、縫製することによって製造されてきた。しかしながら、模様のある生地を用いる場合、衣装のサイズと模様の大きさが釣り合わないことが多く、また、人形用衣装の型紙を用いて一般的な幅の生地を裁断すると、生地の無駄が多くなってしまうことがあった。
【０００４】
このような問題に対して、例えば特許文献１には、ジャカード装置を備えたトーションレース機によって、人形の形状に合わせた組み地を組むか、あるいは、人形に着せる太さの筒編み地を作成して連綴し、連綴部をヒートカットする人形用組物地（レース地）衣装の製造方法が開示されている。特許文献１の製造方法によれば、生地の無駄は発生しないものの、製造できるものはレース地に限られ、また、多数の色を用いて任意の模様を表現することは困難である。
【０００５】
一方、雛人形などの日本人形においては、帯地製造の技術を応用して、当初から人形用として製造される細かい柄の多色織物が用いられることもある（特許文献２）。しかしながら、このような織物は、西陣織に代表される非常に複雑で手工業的な工程で製造されるため、製造効率が低く、高価なものとならざるを得なかった。
【０００６】
このような背景から、人形用衣装において細かい模様や多色の模様を表現する場合には、プリント柄によるか、刺繍によっているのが現状である。しかしながら、プリント柄は質感の点では織柄に及ばない。また、刺繍の場合、表現できる模様の細かさには限界があり、刺繍糸の盛り上がりや刺繍による生地の凹凸が目立ってしまうこともあった。さらに、刺繍の工程を含む場合、製造コストの増加を避けることができなかった。
【先行技術文献】
【特許文献】
【０００７】
【特許文献１】特開２００２−１６６０６１号
【特許文献２】実公平６−１７４９２号
【発明の概要】
【発明が解決しようとする課題】
【０００８】
上記の事情に鑑み、本発明は、人形のサイズに見合う任意の大きさの模様が、人間用の衣服と遜色ない質感と自然さで表現され、かつ、生地の無駄が少なく、適切なコストで製造が可能である人形用衣装、及び、そのような人形用衣装の製造方法を提供することを目的とする。
【課題を解決するための手段】
【０００９】
本発明者らは、上記課題を解決するために検討を重ね、従来、織ネームや織ワッペンの製造に用いられていた精密織物を人形用衣装の材料として応用することに着想し、かかる精密織物によれば、人形の大きさに見合う任意の模様を地組織の上に織り出せることを見出した。また、衣装を構成するパーツの周縁部を溶断することによって、生地のほつれが抑えられ、縫製後の生地の凹凸が低減されること、さらに、ほつれやすいために人形用衣装においては使用が避けられていた種類の織地やパターン等も人形用衣装として利用できることを見出し、本発明に想到した。
【００１０】
さらに発明者らは、複数のパーツを組み合わせて仕立てられる人形用衣装において、仕立てられた時に模様が適切な位置に配置されるようにあらかじめ地組織上に模様を織り出した布地を用いることによって、裁断工程で無駄になる生地の量が大幅に削減されるとともに、従来レースやリボンの後付けによって施されていた装飾を織模様によって表現できるため、衣装を構成するパーツの数を低減することが可能であることを見出し、本発明に想到した。
【００１１】
すなわち本発明は、次の構成を有する。
［１］地組織の上に模様が織り出され、周縁部が溶断された織地のパーツを少なくとも一部に含んでなる、人形用衣装。
［２］前記地組織が、平織、綾織、朱子織、又はそれらの組み合わせ組織からなる地組織であり、前記模様が、前記地組織と異なる色及び／又は太さを有する緯糸の挿入によって前記地組織上に織り出された連続模様又はポイント模様である、［１］に記載の人形用衣装。
［３］地組織の上に模様が織り出され、周縁部が溶断された織地のパーツを複数含み、前記複数のパーツが互いに接合されてなる人形用衣装であって、前記パーツの各々には、衣装として仕立てられた状態で適切な配置となるように、地組織の上に模様が織り出されている、［１］又は［２］に記載の人形用衣装。
［４］ドール用ドレス、ワンピース、スカート又は上衣である、［１］〜［３］のいずれか１項に記載の人形用衣装。
【００１２】
［５］高速織機を用いて、地組織上に織り出された模様を有する布地を織り出す工程、前記布地をレーザー加工機に通し、予め記憶された輪郭データに従って、前記布地をレーザーカットにより溶断して衣装パーツを得る工程、及び、複数の衣装パーツを接合して衣装を仕立てる工程、を含む、［１］〜［４］のいずれか１項に記載の人形用衣装の製造方法。
［６］前記高速織機が、ジャカード機が組み合わされた、レピア織機、エアージェット織機又はプロジェクタイル織機である、［５］に記載の人形用衣装の製造方法。
［７］前記接合が、縫合及び／又は接着である、［５］又は［６］に記載の人形用衣装の製造方法。
【発明の効果】
【００１３】
本発明によれば、人形のサイズに見合う任意の模様が地組織上に織り出されたパーツを用いて人形用衣装を仕立てることによって、人間用の衣服と遜色ない質感と自然さを有する人形用衣装が提供される。また、本発明の人形用衣装は、衣装を構成するパーツの辺縁が溶断されているため、生地端のほつれが生じない。これによって、ほつれが発生しやすいために従来は使用が難しかった種類の織地を人形用衣装地として用いることが可能となり、また、小さく複雑な曲線を有するパーツを使用することも可能となるため、従来にない質感やラインを有する人形用衣装が提供される。
【００１４】
さらに、本発明の衣装の製造方法においては、仕立てられた状態の模様の配置に合わせて模様を織り出すため、従来のように生地上の模様に合わせて生地を裁断する必要がなくなる結果、生地の無駄が大きく削減され、また、レースやリボン等の装飾を織模様で表現することができるため、衣装を構成するパーツの数を削減することが可能となり、有利なコストで人形用衣装を製造することができる。
【図面の簡単な説明】
【００１５】
【図１】本発明の人形用衣装の一例（前面）を示す。
【図２】本発明の人形用衣装の一例（背面）を示す。
【図３】本発明の人形用衣装の一例（側面）を示す。
【図４】本発明の人形用衣装を構成するパーツ（前身頃）を示す。
【図５】本発明の人形用衣装を構成するパーツ（左前脇身頃）を示す。
【図６】本発明の人形用衣装を構成するパーツ（左後脇身頃）を示す。
【図７】本発明の人形用衣装を構成するパーツ（左後身頃）を示す。
【図８】本発明の人形用衣装を構成するパーツ（袖）を示す。
【図９】本発明で用いる、地組織上に織り出された模様を有する布地を示す。
【図１０】本発明で用いる、地組織上に織り出された模様を有する布地を示す。
【発明を実施するための形態】
【００１６】
以下、図面を参照しながら本発明について説明するが、本発明は図面に示された例に限定されない。なお、各図面において、同じ符号は同じ構成を示し、同様の構成については説明を省略することがある。
【００１７】
（人形用衣装）
図１は本発明の人形用衣装の一例であるドレス１の前面を示す。ドレス１はいわゆる１／３サイズのフィギュア用の衣装であり、肩から裾までの長さは約２２ｃｍである。ドレス１の全体は、光沢と張りのある、目付け約１７０〜４００ｇ／ｍ２の生地からなっており、地組織上に、連続模様、ポイント模様、縁取り等が織り出されたパーツが組み合わされてなる。生地は、ジャガード織機を使用した朱子織、平織及び綾織の３種類組織からなる。
【００１８】
図１の実施例は１／３サイズのフィギュア用衣装であるが、本発明の人形用衣装を適用するフィギュアのサイズは特に制限されず、例えば１／１０〜１／３等の任意のサイズのフィギュアを対象とできる。衣装のサイズも任意であり、例えばドレスでは着丈が１０ｃｍ〜６０ｃｍ程度、スカートではスカート丈が５ｃｍ〜４０ｃｍ程度のものが挙げられるが、これらの範囲に限定されない。
【００１９】
図１には、ドレス１の前身頃２、右脇前身頃３、左脇前身頃４、及び、左右の袖５が見られる。また、図２はドレス１の背面を示し、袖５のほか、左脇後身頃６、左後身頃７、右後身頃８、右脇後身頃９が見られる。つまり、ドレス１は７枚の身頃パーツと左右各１枚の袖パーツとを含んで構成されている。なお、ドレス１の完成品ではさらに、襟や着脱用のファスナー等のパーツが付加される。
【００２０】
図３はドレス１の側面を示す。図３には、前身頃２、左脇前身頃４、袖５、左脇後身頃６、及び、左後身頃７が見られる。ドレス１の身頃およびスカート部分は、生地の張りによって自然なラインが表れている。
【００２１】
ドレス１の地組織は、ポリエステル繊維糸を主な材質として含む。ポリエステル繊維糸を含む組織を用いることで、レーザーカット、超音波カット、ヒートカット等によって溶断することが可能となる。なお、溶断とは、布地の裁断位置に高エネルギーを付与し、局所的に布地を溶解することによって切断を行うことを意味し、布地の溶断部分では、断面の繊維同士が融着するため、ほつれが防止される。ドレス１の地組織の材質は、溶断可能なものであれば特に制限されず、ポリエステル繊維糸のほか、ナイロン繊維糸、アクリル繊維糸、それらの組み合わせ、またそれらを少なくとも一部に含む材質で構成することができる。例えばポリエステル繊維糸を９０〜１００％含むものが好ましい。
【００２２】
ドレス１の織地は特に制限されず、綾織のほか、平織、朱子織又はそれらの組み合わせ組織のほか、任意の組織を用いることができる。本発明によれば、ほつれが生じやすいために従来は人形用衣装として使用が難しかった種類の織地も、生地を溶断することによって扱いが容易になるため、人形用衣装として用いることができ、効率的に製造することができる。
【００２３】
ドレス１の内側全体には、地組織と略同色の裏地が付けられている。裏地を付けることによって、ドレス形状の保持、布地の保護等の効果が得られるが、裏地の有無は特に制限されるものではない。
【００２４】
ドレス１を構成する７枚の身頃パーツと左右各１枚の袖パーツは、いずれも地組織の上に模様が織り出され、周縁部が溶断された織地のパーツであるが、本発明の人形用衣装は、全てのパーツがそのような構成を有するものに限られない。すなわち、本発明は、地組織の上に模様が織り出され周縁部が溶断された織地のパーツと、それ以外の構成部品（例えば、無地生地、プリント地、刺繍地、レース地、ニット地、生地端が溶断されていないパーツ等）とが組み合わされてなる人形用衣装をも包含する。
【００２５】
本発明の人形用衣装は、ドレスに限られず、ワンピース、スカート、パンツ、ジャケットやブラウス等の上衣、その他任意のタイプの衣装でありえる。
【００２６】
図４は、人形用衣装を仕立てる前段階の、裁断されたパーツの状態であるドレス１の前身頃２を示す。左図は前身頃２の表面、右図は裏面である。前身頃２の表面には、地組織と異なる色及び／又は太さの緯糸を地組織に挿入することによって表された、ポイント模様１１，１２，他のパーツと連続して１つの模様を表す連続模様１３、縁取り１４、地組織と異なる色の切り替え部１５が織り出されている。ポイント模様１２は、織地の変化によって地模様を表している。また、パーツの周囲全体には、約５ｍｍ幅の縫いしろ１６が設けられている。
【００２７】
図５は、人形用衣装を仕立てる前段階の、裁断されたパーツの状態であるドレス１の左前脇身頃４を示す。左図は左前脇身頃４の表面、右図は同じく裏面である。左前脇身頃４には、仕立てられた時に前身頃２ないし左後脇身頃６の模様と連続する連続模様１３、レース柄の連続模様１７が織り出されている。パーツの周囲全体には、約５ｍｍ幅の縫いしろ１６が設けられている。また、パターンと縫いしろとの境界を示す目印線１８が織り出されている。目印線１８は、完成時には表面に現れず、製造時の利便性を向上させるものである。また、袖ぐり１９は人形の脇に相当する箇所であり、曲率の大きなラインを有するが、レーザーカットによって、ほつれなく精密な曲線が切り出されている。
【００２８】
図５及びその他の図からも明らかであるとおり、各パーツには、衣装として仕立てられた時に表面に現れる部分のみに模様が付されている。このことによって、生地の裏面での緯糸の浮きが少なくなり、布地からパーツを溶断する際や縫製を行う際の生地のほつれが抑制され、また、完成後の衣装においてもよれやほつれが生じにくく、取り扱いが容易になる。
【００２９】
図６は人形用衣装を仕立てる前段階の、裁断されたパーツの状態であるドレス１の左後脇身頃６を示し、左図は左後脇身頃６の表面、右図は同じく裏面である。図７は同じく人形用衣装を仕立てる前段階の、裁断されたパーツの状態であるドレス１の左後身頃７を示し、左図は左前身頃７の表面、右図は同じく裏面である。
【００３０】
図８は、人形用衣装を仕立てる前段階の、裁断されたパーツの状態であるドレス１の袖５を示し、左図は袖５の表面、右図は同じく裏面である。袖５には、ポイント模様１１、袖を周回する連続模様１３が織り出されている。連続模様１３は、飾り紐状の模様（１３ａ）とテープ状の模様（１３ｂ）とを、織地の変化によって表している。本発明によれば、飾り紐やテープを後付けすることなく、織柄によって、これらの装飾を表現することができる。
【００３１】
（人形用衣装の製造方法）
本発明の人形用衣装の製造方法は特に制限されるものではないが、好適には、高速織機を用いて、地組織上に織り出された模様を有する布地を織り出す工程（以下、織成工程ということがある）、前記布地をレーザー加工機に通し、予め記憶された輪郭データに従って、前記布地をレーザーカットにより溶断して衣装パーツを得る工程（以下、溶断工程ということがある）、及び、複数の衣装パーツを接合して衣装を仕立てる工程（以下、仕立て工程ということがある）、を含む製造方法である。
【００３２】
織成工程において、高速織機として好適には、ジャカード機が組み合わされた、レピア織機、エアージェット織機又はプロジェクタイル織機が用いられうる。これらの織機によって、任意の色及び大きさの模様を配置した布地を織り出すことができる。布地の幅は特に制限されないが、５０〜２６００ｍｍとすることができ、５０〜１５００ｍｍであることが好ましい。織成する布地上には、各パーツに表される模様とともに、各パーツのパターン輪郭、及び、縫い代を含めたパーツ輪郭を示すラインを織地の変化によって示すことも好ましい。１つの柄のピッチは、例えば５０〜５００ｍｍとすることができる。
【００３３】
本発明の製造方法は、織成工程において、人形用衣装を構成するパーツの形状および各パーツ上に配置される模様が予め設計された布地を作成することを特徴としている。これによって、人形の大きさに見合った任意の大きさの模様を付すことが可能となると同時に、予めパーツの切り出しを想定して布地を織成することによって、布地の無駄を少なくすることができる。
【００３４】
織り出される模様は特に制限されないが、人形の大きさに見合う大きさの模様とするため、人間用の衣装生地と比較すると小さく精密な模様となる場合が多い。精密な模様を織り出す具体的な技術としては、公知の技術を用いることができ、特に制限されないが、例えば、人間用の衣装生地に用いられるものよりも細い経糸ないし緯糸を用いて、地組織ないし模様を織成することができる。本発明の製造方法によれば、精密な織柄を有する人形用衣装を、合理的かつ実用的なコストで製造することができる。
【００３５】
模様の形状ないし色、色数は特に制限されない。模様としては、レース柄や草花模様、幾何学模様などの装飾模様であってもよいし、ベルトやワッペンなどの付属物を織柄によって表現したものでもよい。また、服地の色の切り替えを織り出しによって表したものであってもよい。模様の色は単色でも多色でもよいが、緯糸の挿入によって模様が表されるものであるため、多色の模様になると緯糸の挿入が増加して地組織よりも厚みが出る場合がある。また、模様の織り出しのために挿入する緯糸の太さを変化させることによって、模様の立体感や質感を変化させることも好ましい。なお、１つの布地の中に挿入する緯糸の色数は例えば２色、４色、６色など上限がある場合もあるが、パーツや布地を組み合わせることによって、色数の多い模様を構成することができる。
さらに、仕立て工程における作業の容易化のために、あるいは工程管理の目的で、仕立て後には外に現れない布地の部分に、目印や記号を織り出すことも好ましい。
【００３６】
図９に、織成工程において織成される布地２０の一部を示す。図９に示される布地の一部分には、衣装一着分を構成するパーツが一群となって配置されている。また、図１０には、図９に示された一群のパーツが繰り返し織り出された連続布地を示す。細幅織物用の織機を用いる場合、図１０左図に示されるように、衣装一着分を配置した幅（図示された場合では幅約３５ｃｍ）の布地としてもよく、広幅織物用の織機を用いる場合、図１０右図に示されるように、複数着の衣装を幅方向に配置した幅（図示された例では幅約１４０ｃｍ）の布地としてもよい。
【００３７】
図９，１０に示されるように、本発明の製造方法では、模様に合わせて生地を裁断するのではなく、予めパーツの輪郭や各パーツに表される模様を配置した生地設計を行い、設計に従って生地を織成するため、生地の無駄を大幅に少なくすることができる。
なお、図９、図１０の例では、一着分の衣装を構成するパーツが織り出され、その一連を繰り返しとする連続布地が織成されているが、同じパーツが繰り返し連続的に織り出された布地が織成されるようにしてもよい。
【００３８】
続いて、織成工程で得られた布地が、溶断工程に供される。溶断は、レーザーカット、超音波カット、ヒートカット等の公知の方法によることができ特に制限されないが、レーザーカットであることが好ましい。レーザーカットによる場合、例えば、炭酸ガスレーザー又はＹＡＧレーザーを備えたレーザー加工機を用いることができる。レーザー加工機は制御コンピュータに接続され、予め制御コンピュータに記憶された各パーツの輪郭データに従って、溶断が行われる。具体的な制御やレーザー加工は、公知の方法ないし条件に従って、あるいはそれらを一部改変して行うことができる。
【００３９】
なお、織成工程で得られた布地は、織成工程から連続的にレーザー加工機に通されてもよいし、織成工程と溶断工程の間に、予備的な裁断工程（例えば、広幅織物を衣装一着分の幅に分割する等）や整理工程等の任意の中間工程を有してもよい。
【００４０】
溶断工程によって得られたパーツは互いに接合され、人形用衣装として仕立てられる。接合は公知の任意の方法、例えば縫製や接着によることができ、縫製と接着を組み合わせることも好ましい。また、仕立て工程において、裏地の取り付け、ボタンやファスナー等の付属品の取り付けを行うこともできる。裏地や付属品の取り付けは、仕立て工程と別途の工程として行われてもよい。
【００４１】
本発明の製造方法に用いられる各パーツは、辺縁が溶断されておりほつれが生じにくいため取り扱い性が良い。そのため、縫製が容易となり、複雑なパターンを有する衣装であっても効率よく製造することができる。また、人形用衣装はその小ささゆえ、パイピングのような縁取りをリボンのたたきつけで表現する場合等、人間用衣料では特に縫製に困難を感じないような部分にも縫製する者により大きく個体差が出る場合があったが、本発明によればそのような製品間での差異を軽減でき、一定品質の衣装を提供することができる。
【符号の説明】
【００４２】
１  ドレス
２  前身頃
３  右脇前身頃
４  左脇前身頃
５  袖
６  左後脇身頃
７  左後身頃
８  右後身頃
９右脇後身頃
１１，１２  ポイント模様
１３、１７  連続模様
１４  縁取り
１５  切り替え
１６  縫いしろ
１８  目印線
１９  袖ぐり
２０  布地
【図１】
2019126443.tif 000003
【図２】
2019126443.tif 000004
【図３】
2019126443.tif 000005
【図４】
2019126443.tif 000006
【図５】
2019126443.tif 000007
【図６】
2019126443.tif 000008
【図７】
2019126443.tif 000009
【図８】
2019126443.tif 000010
【図９】
2019126443.tif 000011
【図１０】
2019126443.tif 000012
【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
複数のパーツを組み合わせて仕立てられる人形用衣装において、地組織の上に模様が織り出され、周縁部が溶断された織地のパーツを少なくとも一部に含んでなる、１０〜７０ｃｍ程度の大きさの人形用の衣装。
【請求項２】
前記地組織が、平織、綾織、朱子織、又はそれらの組み合わせ組織からなる地組織であり、前記模様が、前記地組織と異なる色及び／又は太さを有する緯糸の挿入によって前記地組織上に織り出された連続模様又はポイント模様である、請求項１に記載の人形用の衣装。
【請求項３】
地組織の上に模様が織り出され、周縁部が溶断された織地のパーツを複数含み、前記複数のパーツが互いに接合されてなる人形用衣装であって、前記パーツの各々には、衣装として仕立てられた状態で適切な配置となるように、地組織の上に模様が織り出されている、請求項１又は２に記載の人形用の衣装。
【請求項４】
ドール用ドレス、ワンピース、スカート又は上衣である、請求項１〜３のいずれか１項に記載の人形用の衣装。
【請求項５】
高速織機を用いて、地組織上に織り出された模様を有する布地を織り出す工程、
前記布地をレーザー加工機に通し、予め記憶された輪郭データに従って、前記布地をレーザーカットにより溶断して衣装パーツを得る工程、及び、
複数の衣装パーツを接合して衣装を仕立てる工程、
を含む、
請求項１〜４のいずれか１項に記載の人形用の衣装の製造方法。
【請求項６】
前記高速織機が、ジャカード機が組み合わされた、レピア織機、エアージェット織機又はプロジェクタイル織機である、請求項５に記載の人形用の衣装の製造方法。
【請求項７】
前記接合が、縫合及び／又は接着である、請求項５又は６に記載の人形用の衣装の製造方法。